(57)【要約】【課題】上向き姿勢での作業負担を軽減する作業サポート装置において、構成を簡素化しつつも作業者への負担軽減を図る。【解決手段】作業者に装着され、作業者の上半身が後方に傾倒された上向き姿勢での作業負担を軽減する作業サポート装置１であって、作業者Ｘの頸部Ｎを後方から支持するとともに、頸部Ｎからの押圧力に応じて変形する頸部支持部（第１支持部材）１０と、頸部支持部１０が取り付けられるとともに、作業者Ｘの前面側を通って腰部で固定され、頸部支持部１０への荷重を腰部へ伝達するベルト部材（第２支持部材）２０とを有する。【選択図】図３
2015132034.tif 000002
【特許請求の範囲】
【請求項１】
作業者に装着され、前記作業者の上半身が後方に傾倒された上向き姿勢での作業負担を軽減する作業サポート装置であって、
前記作業者の頸部を後方から支持するとともに、前記頸部からの押圧力に応じて変形する第１支持部材と、
前記第１支持部材が取り付けられるとともに、前記作業者の前面側を通って腰部又は腹部の少なくとも一方で固定され、前記頸部支持部への荷重を前記腰部又は前記腹部の少なくとも一方へ伝達する第２支持部材と、
を有することを特徴とする作業サポート装置。
【請求項２】
前記第１支持部材は、上枠部分、下枠部分、及び前記上枠部分と前記下枠部分を連結する一対の側枠部分を備える枠体状の弾性素材で作製されることを特徴とする請求項１に記載の作業サポート装置。
【請求項３】
前記第２支持部材は、前記第１支持部材と前記腰部に装着された安全帯とを接続するベルト部材で構成されていることを特徴とする請求項１又は２に記載の作業サポート装置。
【請求項４】
前記第１支持部材には、取付用突起が下向きに突設され、
前記第２支持部材は、前記作業者に着用される上着であって、胴回り又は腰回りを収縮させた状態で固定する止め具と、後身頃上部に設けられ、前記取付用突起が固定される突起固定部とを有することを特徴とする請求項１又は２に記載の作業サポート装置。
【発明の詳細な説明】
【技術分野】
【０００１】
本発明は、上向き姿勢での作業負担を軽減する作業サポート装置に関する。
【背景技術】
【０００２】
建設業における天井面の内装工事等では、作業者の上半身が後方に傾倒された上向き姿勢での作業が長時間に亘り行われている。人間の頭部は重いので、上向き作業が長時間に亘って行われると頸部に疲労が蓄積される。疲労の蓄積によって作業効率が低下し、肩こりや頭痛などの原因になり得る。
【０００３】
上向き作業時の疲労を軽減すべく、特許文献１に記載された装置では、車輪を備えた台枠と、台枠に立設された下枠と、下枠に立設された上枠とを有し、下枠には座板を設け、上枠には背もたれ、肘掛け、頭部支持部、及び、工具支柱を設けている。そして、これらの部分に身体の各部を預けることで、上向き作業時の疲労が軽減される。
【０００４】
また、特許文献２に記載された装置では、下向きに湾曲した棒状の補助部材をヘルメットの後部下縁に取り付け、補助部材の先端を作業者の背中に当接させている。これにより、頭部の荷重が背中に伝達され、上向き作業時の疲労が軽減される。
【先行技術文献】
【特許文献】
【０００５】
【特許文献１】特開２０１０−１１９４２４号公報
【特許文献２】特開２０１２−８２５５８号公報
【発明の概要】
【発明が解決しようとする課題】
【０００６】
しかしながら、特許文献１の装置は作業者を囲む大掛かりな構造であるため、装置の運搬や設置に時間を要するとともに使用可能な現場が限られてしまうという問題があった。また、特許文献２の装置は簡単な構成ではあるが、棒状の補助部材のみで頭部を支えることとなり、頭部の位置が定まり難く不安定になり易いという問題があった。また、補助部材の下端が背中に当接し続けるので、背中の局所を強く押圧してしまう虞もあった。
【０００７】
本発明はこのような事情に鑑みてなされたものであり、その目的は、構成を簡素化しつつも作業者への負担軽減が図れる上向き作業のサポート装置を提供することにある。
【課題を解決するための手段】
【０００８】
前述の課題を解決するため、本発明は、作業者に装着され、前記作業者の上半身が後方に傾倒された上向き姿勢での作業負担を軽減する作業サポート装置であって、前記作業者の頸部を後方から支持するとともに、前記頸部からの押圧力に応じて変形する第１支持部材と、前記第１支持部材が取り付けられるとともに、前記作業者の前面側を通って腰部又は腹部の少なくとも一方で固定され、前記頸部支持部への荷重を前記腰部又は前記腹部の少なくとも一方へ伝達する第２支持部材と、を有することを特徴とする。
【０００９】
本発明の作業サポート装置は、第１支持部材と第２支持部材とを含んでいれば足りるため、構成を簡素化することができる。また、上向き作業時における頸部からの荷重は、作業者の前面側に配置された第２支持部材を介して作業者の腰部又は腹部の少なくとも一方に伝達される。これにより、作業者の荷重を腰部や腹部に分散でき、上向き作業時における頸部への負担を軽減できる。また、第１支持部材は、頸部からの押圧力に応じて変形するので、この点でも頸部への負担を軽減できる。
【００１０】
前述の作業サポート装置において、前記第１支持部材は、上枠部分、下枠部分、及び前記上枠部分と前記下枠部分を連結する一対の側枠部分を備える枠体状の弾性素材で作製されることが好ましい。この構成では、第１支持部材が枠体状の弾性素材で作製されているので軽量である。また、枠体状であることから、頸部からの押圧力によって容易に変形させることができる。
【００１１】
前述の作業サポート装置において、前記第２支持部材は、前記第１支持部材と前記腰部に装着された安全帯とを接続するベルト部材で構成されていることが好ましい。この構成では、作業者が通常装着している安全帯を介して作業者の荷重を腰部に伝達できるので、構成の一層の簡素化が図れる。
【００１２】
前述の作業サポート装置において、前記第１支持部材には、取付用突起が下向きに突設され、前記第２支持部材は、前記作業者に着用される上着であって、胴回り又は腰回りを収縮させた状態で固定する止め具と、後身頃上部に設けられ、前記取付用突起が固定される突起固定部とを有することが好ましい。この構成では、上向き作業時における頸部からの荷重が第１支持部材を介して突起固定部に伝達される。この荷重によって上着の前身頃が上側へ引っ張られるが、収縮状態で固定された上着の胴回りや腰回りの部分によって、頭部の荷重を腰部や腹部に分散でき、上向き作業時における頸部への負担を軽減できる。
【発明の効果】
【００１３】
本発明によれば、作業者の上半身が後方に傾倒された上向き姿勢での作業負担を軽減する作業サポート装置に関し、構成を簡素化しつつも作業者への負担軽減を図ることができる。
【図面の簡単な説明】
【００１４】
【図１】第１実施形態に係る作業サポート装置の正面図である。
【図２】頸部支持部材の斜視図である。
【図３】（ａ）は装置装着時の正面図、（ｂ）は装置装着時の側面図である。
【図４】作業者の頸部を後屈させた際の状態を説明する図である。
【図５】作業サポート装置の装着時と未装着時における筋活動レベルを説明する図である。
【図６】第２実施形態に係る作業サポート装置の説明図であり、（ａ）は頸部支持部材（第１支持部材）の正面図、（ｂ）は同じく右側面図である。
【図７】第２実施形態に係る作業サポート装置の説明図であり、頸部支持部材を取り付け、前身頃を開いた状態の上着を説明する図である。
【図８】（ａ）は頸部支持部材及び前身頃を閉じた状態の上着の正面図、（ｂ）は同じく背面図である。
【図９】（ａ），（ｂ）はそれぞれ、作業者の頸部を後屈させた際の状態を説明する図である。
【図１０】変形例に係る作業サポート装置の説明図であり、頸部支持部材及びベルト部材の一部分を説明する図である。
【発明を実施するための形態】
【００１５】
以下、本発明の第１実施形態について説明する。図１に示すように、第１実施形態の作業サポート装置１は、頸部支持部材１０とベルト部材２０を有している。頸部支持部材１０は第１支持部材に相当し、作業者の頸部を後方から支持する。ベルト部材２０は第２支持部材に相当し、頸部支持部材１０への荷重を作業者の腰部へ伝達する。
【００１６】
頸部支持部材１０について説明する。図１及び図２に示すように、頸部支持部材１０は、上枠部分１１、下枠部分１２、及び、一対の側枠部分１３を備える矩形の枠体状に形成されている。この頸部支持部材１０は、弾性素材を枠体状に加工することで作製されている。頸部支持部材１０の大きさについて説明すると、幅Ｗが１５０〜２００ｍｍ、高さＨが１２５〜１５０ｍｍ、奥行き（厚さ）Ｄが２０〜３０ｍｍである。なお、試作品では、発泡倍率が２０〜４０倍の発泡ポリエチレンを、幅１７５ｍｍ、高さ１３８ｍｍ、厚さ２５ｍｍの大きさに加工した。
【００１７】
なお、発泡倍率に関し、２０倍よりも３０倍や４０倍の方が柔らかく、頸部支持部材１０として好適であった。このため、後述する確認試験では、発泡倍率が３０〜４０倍の発泡ポリエチレンで作製された頸部支持部材１０を使用した。
【００１８】
上枠部分１１は、頸部支持部材１０の上部に横方向へ配置される断面矩形状の棒状部分であり、頸部が後屈すると頸部に倣って湾曲される。このため、頸部支持部材１０は、長手方向の中央部が最も薄肉となるように、上面を湾曲凹形状としている。これにより、両端部に比べて中央部を撓みやすくしている。下枠部分１２は、頸部支持部材１０の下部に上枠部分１１と平行な状態で設けられた棒状部分であり、断面の一辺が２０〜３０ｍｍの角柱状に形成されている。側枠部分１３は、上枠部分１１の一端と下枠部分１２の一端、及び、上枠部分１１の他端と下枠部分１２の他端を連結する棒状部分であり、断面の一辺が２０〜３０ｍｍの角柱状に形成されている。
【００１９】
また、頸部支持部材１０の中心部には、正面から見て矩形状の空間１４が形成されている。この空間１４により、上枠部分１１を下方向へ湾曲し易くすると共に、側枠部分１３を内側へ湾曲し易くしている。その結果、頸部からの押圧力に応じて、上枠部分１１や側枠部分１３を容易に変形させることができる。
【００２０】
次に、ベルト部材２０について説明する。図１に示すように、ベルト部材２０は、ベルト本体２１と、ベルト本体２１の両端に取り付けられたクリップ２２とを有している。そして、ベルト本体２１における長手方向の中間位置には、頸部支持部材１０が取り付けられている。また、ベルト本体２１は、主ベルト２３、アジャスター２４、留め具２５、及び、副ベルト２６を有している。
【００２１】
主ベルト２３は、伸縮性を有する伸縮素材や合成繊維製の生地で作製される。なお、本実施形態では伸縮素材の一種であるゴムバンドで作製されている。そして、主ベルト２３の幅は３０〜５０ｍｍ、長さは１５００〜２０００ｍｍであり、長手方向の中間位置に頸部支持部材１０が取り付けられている。主ベルト２３における一端側と他端側はそれぞれ折り返されており、折り返し位置にはアジャスター２４が取り付けられている。そして、折り返し部分２３ａの長さを調節することで、頸部支持部材１０からアジャスター２４までの長さを作業者の体格に適合させることができる。留め具２５は、ベルト本体２１の途中に取り付けられており、折り返し部分２３ａを固定する。
【００２２】
副ベルト２６は、アジャスター２４とクリップ２２とを連結するベルト状部材である。この副ベルト２６もまた伸縮性を有する伸縮素材や合成繊維製の生地で作製されており、その幅は３０〜５０ｍｍ、長さは１００〜２００ｍｍである。クリップ２２は、作業者が装着する安全帯Ｙ（図３参照）や腰ベルト（図示せず）を挟み込み、ベルト本体２１を安全帯Ｙや腰ベルトに固定するものである。
【００２３】
次に、上記構成を有する作業サポート装置１の使用方法について説明する。図３（ａ），（ｂ）に示すように、作業サポート装置１を作業者Ｘに装着するには、頸部支持部材１０を作業者Ｘの頸部Ｎに後方からあてがった状態で、ベルト本体２１の両端部分を作業者Ｘの肩越しに前方へ導く。そして、作業者Ｘの前面側で各クリップ２２を安全帯Ｙに挟み込んだ後、折り返し部分２３ａの長さを調整することで、ベルト本体２１の弛みをとる。この状態では、ベルト部材２０のテンションによって、頸部支持部材１０が頸部の後方近傍に軽く固定される。
【００２４】
図４は、作業サポート装置１を装着した作業者Ｘが、上向き姿勢をとった様子を説明する図である。同図に示すように、上向き姿勢をとることで、作業者Ｘの上半身が後方に傾倒され、頸部Ｎが後屈される。これにより、頸部支持部材１０の上枠部分１１が頸部Ｎや後頭部に倣って湾曲される。
【００２５】
順を追って説明すると、後屈初期では、作業者Ｘの後頭部が上枠部分１１を上方から押下する。これにより、ベルト部材２０（ベルト本体２１）にテンションが掛かり、頭部が頸部支持部材１０に支えられる。本実施形態では、ベルト本体２１の主ベルト２３にゴムベルトを用いているので、伸びた主ベルト２３の反発力によっても頭部の荷重が支えられる。さらに、頭部の荷重を頸部支持部材１０に預けると、主ベルト２３が伸びきった状態になるとともに、頸部支持部材１０に対して縦の圧縮力（上枠部分１１を下枠部分１２へ近付ける方向の力）が付与される。この圧縮力とベルト部材２０の張力によって頸部Ｎが支持される。
【００２６】
ここで、前述したように、上枠部分１１の上面は湾曲凹形状となっており、頸部支持部材１０の中心部分には空間１４が形成されている。このため、頸部Ｎの後屈に伴って、上枠部分１１が空間１４側に湾曲されると共に、側枠部分１３の上部が内側に湾曲される。その結果、頸部支持部材１０に頭部の荷重を預けても、頸部Ｎに過度な負担が掛かり難くなる。
【００２７】
また、作業者Ｘの前面側に配置されたベルト部材２０を介して頸部支持部材１０と安全帯Ｙとが連結されているため、上向き作業時における頸部Ｎからの荷重は、ベルト部材２０と安全帯Ｙを介して作業者Ｘの腰部に伝達される。その結果、上向き作業時における頸部Ｎからの荷重を腰部に分散でき、上向き作業時における頸部Ｎへの負担を更に軽減できる。
【００２８】
次に、頸部Ｎに対する負担軽減効果を確認する確認試験について説明する。この確認試験では１人の被験者に対し、首（頸部Ｎ）の後屈角度を変化させながら胸鎖乳突筋の活動量を測定した。具体的には、胸鎖乳突筋の位置に複数の電極を貼付し、電極の電位（表面筋電位）を記録した。筋電位の記録には、Ｓ＆ＭＥ社製の製品名ＢｉｏＬｏｇを用いた。
【００２９】
図５に示すように、首の後屈角度は０°〜４０°の５水準とした。この後屈角度は傾斜計で測定した。そして、筋電位の大きさを０〜６０［％ＭＶＣ］の筋活動量で整理した。なお、筋活動量とは、胸鎖乳突筋の活動状態を示す指標であり、測定された表面筋電位の大きさを示す。この確認試験では、活動状態が最も低い状態を０％ＭＶＣとし、最も高い状態を６０％ＭＶＣとした。従って、数値が高くなるほど頸部Ｎへの負担が大きいといえる。また、測定は、作業サポート装置１の未装着状態と装着状態のそれぞれで行った。
【００３０】
試験結果について説明する。図５において、未装着状態の筋活動量を白色の正方形で示し、装着状態の筋活動量を黒色の菱形で示した。未装着状態の筋活動量は、角度０°で７．１％ＭＶＣ、角度１０°で２４．５％ＭＶＣ、角度２０°で４８．０％ＭＶＣ、角度３０°で４２．９％ＭＶＣ、角度４０°で５１．９％ＭＶＣであった。一方、装着状態の筋活動量は、角度０°で７．９％ＭＶＣ、角度１０°で３５．５％ＭＶＣ、角度２０°で２９．５％ＭＶＣ、角度３０°で４１．３％ＭＶＣ、角度４０°で３２．５％ＭＶＣであった。
【００３１】
装着状態において、後屈角度１０°では未装着状態よりも筋活動量の数値が大きかったものの、後屈角度２０°以上では未装着状態よりも筋活動量の数値が小さくなることが確認できた。具体的には、後屈角度２０°以上における筋活動量の数値は２９．５〜４１．３％ＭＶＣの範囲内であり、未装着状態の数値範囲（４２．９〜５１．９％ＭＶＣ）よりも十分に小さいことが確認できた。
【００３２】
また、未装着状態では、後屈角度が大きくなる程に筋活動量が上昇する傾向が確認された。これに対し、装着状態では、後屈角度１０°以上において、筋活動量が一定範囲内（概ね３０〜４０％ＭＶＣ）に収まる傾向が確認された。
【００３３】
この測定結果より、頸部Ｎからの荷重が作業サポート装置１や安全帯Ｙを介して腰部に分散され、頸部Ｎの負担が軽減されることが裏付けられた。
【００３４】
以上の説明から明らかなように、第１実施形態の作業サポート装置１では、頸部支持部材１０（第１支持部材）とベルト部材２０（第２支持部材）からなる簡単な構成で、装置を構成できる。そして、上向き作業時における頸部Ｎからの荷重は、作業者Ｘの前面側に配置されたベルト部材２０を介して作業者Ｘの腰部に伝達されるので、作業者Ｘの荷重を腰部に分散でき、上向き作業時における頸部Ｎへの負担を軽減できる。加えて、頸部支持部材１０は、頸部Ｎからの押圧力に応じて変形するので、この点でも頸部Ｎへの負担を軽減できる。
【００３５】
また、頸部支持部材１０が枠体状の発泡ポリエチレン（弾性素材）で作製されているので、頸部Ｎや後頭部からの押圧力に応じて容易に変形させることができ、軽量化が容易である。加えて、発泡素材であることから、寒冷地で用いたとしても弾性が損なわれ難い。
【００３６】
また、ベルト部材２０の端部にはクリップ２２が設けられており、作業者Ｘの腰部に装着された安全帯Ｙと頸部支持部材１０とをベルト部材２０で接続しているので、作業者Ｘが通常装着している安全帯Ｙを介して頭部の荷重を腰部に伝達でき、構成の一層の簡素化が図れる。
【００３７】
さらに、主ベルト２３や副ベルト２６をゴムバンド等の伸縮素材で作製すると、頸部Ｎの後屈度合いに応じて、頸部支持部材１０の変形に先立ってこれらのベルト２３，２６を伸長させることができる。これにより、頭部の荷重を段階的に支持できる。また、作業性を損なわずにベルト部材２０の弛みをなくすこともできる。
【００３８】
次に、第２実施形態の作業サポート装置２（図７，図８を参照）について説明する。第２実施形態の作業サポート装置２は、第２支持部材が作業者Ｘに着用される上着４０で構成されている点、及び、頸部支持部材３０（第１支持部材）が上着４０（第２支持部材）に対して着脱可能に構成されている点が、第１実施形態の作業サポート装置１と大きく異なっている。以下、これらの相違点を中心に説明を行う。
【００３９】
まず、頸部支持部材３０について説明する。図６（ａ）に示すように、第２実施形態の頸部支持部材３０は、上枠部分３１、下枠部分３２、側枠部分３３、及び、取付用突起３４を備えている。これらのうち、上枠部分３１及び側枠部分３３は、第１実施形態の上枠部分１１及び側枠部分１３と同様に構成されている。すなわち、上枠部分３１は、頸部支持部材３０の上部に横方向へ配置され、長手方向の中央部が最も薄肉となるように上面が湾曲凹形状とされている。また、側枠部分３３は、上枠部分３１と下枠部分３２の端部同士を連結する角柱状の棒状部分である。
【００４０】
一方、下枠部分３２は、正面から見て略Ｖ字状に屈曲されている。すなわち、長手方向中心部から斜め上方に向けて形成され、それぞれの先端が側枠部分３３の下端に接合されている。また、図６（ｂ）の側面図に示すように、下枠部分３２は、下方に向けて次第に厚みを増している。取付用突起３４は、下枠部分３２における長手方向の中央部から下向きに突設された角柱状の部分であり、頸部支持部材３０を上着４０へ取り付ける際に用いられる。このように、取付用突起３４を十分に太い柱状に構成することで、頭部の荷重を確実に上着４０へ伝達できる。
【００４１】
次に、上着４０について説明する。ここで、図７は、頸部支持部材３０を後身頃４２の背面側に取り付けるとともに、前身頃４１を左右に開いた状態の上着４０を説明する図である。図８（ａ）は、頸部支持部材３０及び前身頃４１を閉じた状態の上着４０の正面図であり、図８（ｂ）は同じく背面図である。
【００４２】
図７に示す上着４０は、前合わせのベストとして構成されている。すなわち、襟や袖を有さず、前身頃４１が左右に分割された形態とされている。そして、右前身頃４１Ｒと左前身頃４１Ｌの合わせ部分４３には、フックやボタンファスナー等の止め具４３ａが設けられている。
【００４３】
この止め具４３ａは、胴回り方向に複数列（図７では３列）設けられており、上着４０における胴回りや腰回りを収縮させた状態で固定するための部材である。すなわち、この止め具４３ａにより、図８（ａ）に示す前身頃４１を閉じた状態において、胴回りや腰回りの寸法を調整することができる。これは、上着４０における胴回りや腰回りの部分を作業者の腹部や腰部に巻き付けて固定することで、上向き作業時における頸部からの荷重を、作業者の腹部や腰部に伝達するためである（後述する）。
【００４４】
また、図８（ｂ）に示すように、後身頃４２の上部には、突起固定部４４が設けられている。この突起固定部４４は、頸部支持部材３０の取付用突起３４が固定される部分であり、本実施形態では上面が開放されたポケット形状に構成されている。なお、取付用突起３４のぐらつきを防止するため、突起固定部４４によって形成される収納空間は、取付用突起３４が丁度収納される形状とされる。
【００４５】
次に、上記構成を有する作業サポート装置２の使用方法について説明する。図９（ａ），（ｂ）に示すように、本実施形態の作業サポート装置２は、頸部支持部材３０を取り付けた上着４０を着用するだけでよい。なお、上着４０の着用に際しては、上着４０の下側半部を作業者Ｘの腹部や腰部に隙間なく巻き付けた状態で、前身頃４１の止め具４３ａを固定する。
【００４６】
本実施形態でも、作業サポート装置２を装着した作業者Ｘが上向き姿勢になると、頸部Ｎが後屈されて上枠部分３１が頸部Ｎに倣って湾曲されると共に、側枠部分３３の上部が内側に湾曲される。これにより、頸部支持部材３０に作業者Ｘの荷重を預けても、頸部Ｎに過度な負担が掛かり難くなる。
【００４７】
頸部支持部材３０に頭部の荷重を預けると、突起固定部４４を介して後身頃４２の上部には、図９（ａ），（ｂ）に符号Ｄで示す下向きの力が作用する。ここで、後身頃４２と前身頃４１は肩山で接合されているため、前身頃４１には、図９（ｂ）に符号Ｕで示す上向きの引っ張り力が作用する。そして、上着４０の下側半部が作業者Ｘの腹部や腰部に巻き付けられていることから、前身頃４１の上方への移動は、上着４０の下側半部と作業者Ｘの腹部等との摩擦によって阻止される。すなわち、頸部支持部材３０への荷重が、上着４０の前身頃４１及び下側半部を介して作業者Ｘの腹部等に伝達される。その結果、上向き作業時における頸部Ｎからの荷重を腹部等に分散でき、上向き作業時における頸部Ｎへの負担を軽減できる。
【００４８】
以上の説明から明らかなように、第２実施形態の作業サポート装置２は、頸部支持部材３０（第１支持部材）と上着４０（第２支持部材）とから構成されているので構成が簡素である。また、上着４０に関しては、市販の作業用ベストに突起固定部４４や止め具４３ａを取り付ける程度の軽微な改造で作製することもできる。
【００４９】
以上の実施形態の説明は、本発明の理解を容易にするためのものであり、本発明を限定するものではない。本発明はその趣旨を逸脱することなく、変更、改良され得ると共に本発明にはその等価物が含まれる。例えば、次のように構成してもよい。
【００５０】
頸部支持部材１０，３０に関し、前述の各実施形態では、枠体状の弾性素材（発泡倍率が２０〜４０倍の発泡ポリエチレン）を例示したが、これに限定されるものではない。例えば、弾性素材を低反発性の発泡ウレタンで作製してもよいし、エアークッションで作製してもよい。また、カーボンプレート（炭素繊維で作製された薄板）を発泡ポリエチレンの表面に貼り付けた複合材料で作製してもよいし、カーボンプレートを複数枚接着した板状部材で作製してもよい。加えて、頸部支持部材１０，３０の形状は枠体状に限られず、枕状としてもよい。
【００５１】
また、図１０に示すように、第１実施形態のベルト部材２０と第２実施形態の頸部支持部材３０を組み合わせてもよい。この変形例では、上部が開放された袋状の突起固定部６０をベルト部材２０に取り付け、頸部支持部材３０の取付用突起３４を突起固定部６０に収納する。
【００５２】
また、第２実施形態における上着４０に関し、突起固定部４４は袋状に限られない。例えばバンド状部材で構成してもよい。また、止め具４３ａに関しても、フックやボタンファスナーに限られない。面ファスナーであってもよいし、バックル付きのベルトであってもよい。
【符号の説明】
【００５３】
１…第１実施形態の作業サポート装置，２…第２実施形態の作業サポート装置，１０…頸部支持部材（第１支持部材），１１…上枠部分，１２…下枠部分，１３…側枠部分，１４…空間，２０…ベルト部材（第２支持部材），２１…ベルト本体，２２…クリップ，２３…主ベルト，２３ａ…折り返し部分，２４…アジャスター，２５…留め具，２６…副ベルト，３０…頸部支持部材（第１支持部材），３１…上枠部分，３２…下枠部分，３３…側枠部分，３４…取付用突起，４０…上着（第２支持部材），４１…前身頃，４１Ｒ…右前身頃，４１Ｌ…左前身頃，４２…後身頃，４３…右前身頃と左前身頃の合わせ部分，４３ａ…止め具，４４…突起固定部，Ｘ…作業者，Ｙ…安全帯，Ｎ…作業者の頸部
【図１】
2015132034.tif 000003
【図２】
2015132034.tif 000004
【図３】
2015132034.tif 000005
【図４】
2015132034.tif 000006
【図５】
2015132034.tif 000007
【図６】
2015132034.tif 000008
【図７】
2015132034.tif 000009
【図８】
2015132034.tif 000010
【図９】
2015132034.tif 000011
【図１０】
2015132034.tif 000012